(57)【要約】【課題】操作性及び視認性に優れたリモコンを備えた視力計を提供する。【解決手段】リモコンは、くびれを帯びた直方体状の本体１２から成り、本体の操作面１０には、視標を選択する複数の操作ボタン、視標呈示装置に呈示する視標や視力値等を表示するディスプレイ１４が設けられ、操作ボタンにより選択された視標を示す信号を視標呈示装置に送信する送信部から構成されている。操作ボタンは、操作ボタンにより呈示される視標に基づいた寸法又は形状又は凹凸部により形成されている。【選択図】図１
2009072487.tif 000002
【特許請求の範囲】
【請求項１】
操作面を有したリモコン本体と、前記操作面に設けられた視標を選択する複数の操作ボタンと、前記操作ボタンによって選択された視標を示す信号を送信する送信手段とを備えたリモコンと、前記リモコンからの前記信号を受信する受信手段と、前記受信手段にて受信された前記信号に基づいて視標を呈示する視標呈示部とを備えた視標呈示装置と、からなる視力計において、
前記操作ボタンは、前記操作ボタンにより呈示される視標に基づいた寸法又は形状又は凹凸部により形成されていることを特徴とするリモコン。
【請求項２】
前記操作ボタンは、視力ボタンと、視標表示方法切換ボタンと、特殊視標ボタンとを含み、前記視力ボタンは、視力値の大きさに応じた寸法により形成され、前記視標表示方法切換ボタン及び前記特殊視標ボタンは、呈示する視標を表す形状又は凹凸部により形成されることを特徴とする請求項１に記載のリモコン。
【発明の詳細な説明】
【技術分野】
【０００１】
この発明は、視標呈示装置の遠隔操作に用いるリモコンに関するものである。
【背景技術】
【０００２】
従来、視力検査において、リモコンを使用することにより視標呈示部、例えば、液晶パネル等に表示する視標の切り換えを行っている。リモコンには、視標を選択する複数の操作ボタンが設けられている。（例えば、特許文献１）
【０００３】
【特許文献１】特開２００６−３２６１８２号公報
【発明の開示】
【発明が解決しようとする課題】
【０００４】
しかしながら、従来の視力検査装置におけるリモコンの操作ボタンは、全て同じ形状又はサイズであり、さらに、操作ボタンにより呈示される視標を示した表記文字は小さく見づらいものが多いため、間違った操作ボタンを選択してしまったり、操作ボタンを探すのに時間がかかったりと、所望の操作を行うための操作ボタンを容易に選択することができなかった。
【０００５】
ここにおいて、本発明は、上記問題点に鑑みなされたもので、操作ボタンにより呈示される視標に基づいた寸法又は形状又は凹凸部により操作ボタンを形成することで、操作性及び視認性に優れたリモコンを提供することを目的とする。
【課題を解決するための手段】
【０００６】
本発明の第一の態様は、操作面を有したリモコン本体と、前記操作面に設けられた視標を選択する複数の操作ボタンと、前記操作ボタンによって選択された視標を示す信号を送信する送信手段とを備えたリモコンと、前記リモコンからの前記信号を受信する受信手段と、前記受信手段にて受信された前記信号に基づいて視標を呈示する視標呈示部とを備えた視標呈示装置と、からなる視力計において、前記操作ボタンは、前記操作ボタンにより呈示される視標に基づいた寸法又は形状又は凹凸部により形成されていることを特徴とする。
【０００７】
また、本発明の第二の態様は、前記第一の態様に係るリモコンにおいて、前記操作ボタンは、視力ボタンと、視標表示方法切換ボタンと、特殊視標ボタンとを含み、前記視力ボタンは、視力値の大きさに応じた寸法により形成され、前記視標表示方法切換ボタン及び前記特殊視標ボタンは、呈示する視標を表す凹凸部又は形状により形成されることを特徴とする。
【０００８】
本発明の態様によれば、操作ボタンにより呈示される視標を示した表記文字を見なくても触覚により操作ボタンにより呈示される視標が判断できるようになるため、操作ミスの防止や検査時間の短縮、さらには、検者のストレスが軽減されると共に、被検者の表情を常に見て検査を行うことができる。
【発明を実施するための最良の形態】
【０００９】
以下、本発明を更に具体的に明らかにするために、本発明の実施形態について、図面を参照しつつ、詳細に説明する。
【００１０】
本発明における一実施形態として、視力計は、一つの視標又は複数の視標を呈示する視標呈示装置と視標呈示装置に呈示する視標を選択するリモコンから構成されている。
【００１１】
図１はリモコンの平面図を示している。図１に示すように、リモコンは、くびれを帯びた直方体状の本体１２から成り、本体の操作面１０には、視標を選択する複数の操作ボタン、視標呈示装置に呈示する視標や視力値等を表示するディスプレイ１４（例えば、液晶ディスプレイ）が設けられ、操作ボタンにより選択された視標を示す信号を視標呈示装置に送信する送信部（図示しない）から構成されている。
【００１２】
以下に、主な操作ボタンについて詳細に説明する。
【００１３】
操作面１０には、リモコンの電源及びディスプレイの表示をオン/オフするPowerボタン１６、呈示する視標の視力値を選択する視力ボタン１８、呈示する視標の視力値を変更する上下ボタン２０a、２０b、呈示する視標の向き又は形を変更する左右ボタン２２a、２２bが設けられている。そして、呈示する視標の表示方法を切り換えるための操作ボタンとして、視標を縦一列表示又は字ひとつ表示に切り換える縦一列/字ひとつボタン２４、視標を横一列表示又は字ひとつ表示に切り換える横一列/字ひとつボタン２６が設けられている。また、呈示する視標のタイプを選択するための操作ボタンとして、ランドルト環視標、絵視標、ひらがな視標、スネルレン視標等に切り換える複数の視標タイプ選択ボタン２８が設けられている。さらに、特殊視標を呈示するための操作ボタンとして、レッド・グリーン視標又は固視点視標を呈示するレッド・グリーン/固視点ボタン３０、放射線視標又は点群視標を呈示する放射線/点群ボタン３２、両眼バランス視標、両眼レッド・グリーン視標、三桿計チャート、立体視視標、精密立体視視標、十字斜位視標、回旋斜位視標等を呈示する複数のその他特殊視標ボタン３４が設けられている。
【００１４】
視力ボタン１８は、視力値０．０４ボタン１８a、視力値０．０８ボタン１８b、視力値０．１ボタン１８c、視力値０．２ボタン１８d、視力値０．４ボタン１８e、視力値０．５ボタン１８f、視力値０．８ボタン１８g、視力値１．０ボタン１８hが設けられている。図２（a）に示すように、視力値が低いボタン、例えば視力値０．０４ボタン１８aを選択すると、視標呈示装置２０に呈示する視標のサイズが大きい。一方、図２（b）に示すように、視力値が高いボタン、例えば視力値１．０ボタン１８hを選択すると、視標表示装置２０に呈示する視標のサイズが小さい。そのため、視力値が低いボタンは、視力値が高いボタンの寸法よりも、大きな寸法で形成されている。すなわち、ボタンの寸法は、視力値０．０４ボタン１８a＞視力値０．０８ボタン１８b＞視力値０．１ボタン１８c＞視力値０．２ボタン１８d＞視力値０．４ボタン１８e＞視力値０．５ボタン１８f＞視力値０．８ボタン１８g＞視力値１．０ボタン１８hの順に形成されている。このように、視力値（呈示する視標のサイズ）に応じて操作ボタンの寸法を違えているため、視覚だけでなく、触覚的にも視力値（視標の大きさ）を認識することができる。
【００１５】
そして、縦一列/字ひとつボタン２４、横一列/字ひとつボタン２６、レッド・グリーン/固視点ボタン３０、放射線/点群ボタン３２は、操作ボタンの表面に、操作ボタンが呈示する視標を表す形状をした凸部が設けられている。
【００１６】
詳細には、縦一列/字ひとつボタン２４は、図３（a）に示すように、縦一列/字ひとつボタン２４を選択すると、視標呈示装置２０に複数の視標が縦一列に並べられて表示される。そのため、縦一列/字ひとつボタン２４の表面２４aには、縦に丸を３つつなげた形状をした凸部２４bが設けられている。このように、触覚により視標を縦一列表示に切り換えるボタンであるということが認識できる。一方、同様な機能である横一列/字ひとつボタン２６は、図３（b）に示すように、横一列/字ひとつボタン２６を選択すると、視標呈示装置２０に複数の視標が横一列に並べられて表示される。そのため、横一列/字ひとつボタン２６の表面２６aには、横に丸を３つつなげた形状をした凸部２６bが設けられている。このように、触覚により視標を横一列表示に切り換えるボタンであるということが認識できる。さらに、縦一列/字ひとつボタン２４又は横一列/字ひとつボタン２６の形状は、丸型ではなく縦又は横に長い長方形型のため、触覚だけでなく、視覚的にも認識しやすくなる。
【００１７】
レッド・グリーン/固視点ボタン３０は、図４に示すように、レッド・グリーン/固視点ボタン３０を選択すると、視標呈示装置２０にレッド・グリーン視標２０（a）又は固視点視標２０（ｂ）が表示される。そのため、レッド・グリーン/固視点ボタン３０の表面３０aには、固視点視標２０（b）を表した丸型の凸部３０bが設けられている。このように、触覚により固視点視標を呈示するボタンであるということが認識できる。
【００１８】
放射線/点群ボタン３２は、図５に示すように、放射線/点群ボタン３２を選択すると、視標呈示装置２０に放射線視標２０（ｃ）又は点群視標２０（ｄ）が表示される。そのため、放射線/点群ボタン３２の表面３２aには、放射線視標２０（c）を表した花型の凸部３２ｂが設けられている。このように、触覚により放射線視標を呈示するボタンであるということが認識できる。
【００１９】
このように、操作ボタンの寸法や形状を違えたり、操作ボタンの表面に操作ボタンにより呈示される視標に基づいた凸部を設けたりすることにより、操作ボタンにより呈示される視標を示した表記文字を見なくても、触覚により操作ボタンにより呈示される視標を認識することができる。
【００２０】
さらに、操作面の長手方向のほぼ中央部に比較的使用頻度の高い、上下ボタン２０a、２０b及び左右ボタン２２a、２２b、縦一列/字ひとつボタン２４、横一列/字ひとつボタン２６、レッド・グリーン/固視点ボタン３０、放射線/点群ボタン３２が配設され、さらに、リモコンの中心軸上に、視力値（呈示する視標の大きさ）順に視力ボタン１８が配設されることにより、操作ボタンを認識しやすく、かつ、ボタン操作が容易となる。
【００２１】
次に、リモコン及び視標呈示装置の内部構成について説明する。図６は、リモコン及び視標呈示装置の内部構成を概略的に示したブロック図である。
【００２２】
リモコン１２は、図６（a）に示すように、操作ボタンの操作を検知する入力部３６と、入力部３６からの操作信号をコード変換するコード変換器３８と、コード変換されたコマンド信号を赤外線により視標表示装置２０に送信する送信部４０と、コード変換されたコマンド信号に基づいて視標の種類等の表示を行うディスプレイ１４と、コード変換器３８、送信部４０、ディスプレイ１４を制御する制御部４２とから構成されている。また、視標呈示装置２０は、図６（b）に示すように、リモコン１２における送信部４０からのコマンド信号を受信する受信部４４と、受信部４４からのコマンド信号に基づいて視標の呈示を行う表示器４６（例えば、液晶パネル）とから構成されている。
【００２３】
入力部３６の操作ボタンが押下されたとき、制御部４２が、これを検知し、コード変換器３８によりコード変換し、コード変換されたコマンド信号を送信部４０およびディスプレイ１４に送信する。送信部３６からコマンド信号を赤外線により視標呈示装置２０に送信すると共に、ディスプレイ１４において視標の種類等の表示を行う。そして、リモコン１２における送信部４０からのコマンド信号を受信部４４が受信し、表示器４６において、視標の呈示を行う。
【００２４】
以上、本発明の一実施形態について詳述してきたが、かかる実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは言うまでもない。
【００２５】
例えば、上記実施例では、視力ボタン１８の視力値に応じて操作ボタンの寸法を違えているが、それに加えて、操作ボタンの表面に視力値に応じた凸部を設けても良い。このように、寸法を違えるだけでなく、凸部を設けることにより、より触覚で視力値（視標の大きさ）を認識することができる。
【００２６】
また、上記実施例では、操作ボタンの表面に操作ボタンにより呈示される視標に基づく形状をした凸部を設けているが、操作ボタンの表面に操作ボタンにより呈示される視標に基づく形状をした凹部を設けてもよい。
【００２７】
さらに、上記実施例では、視力検査の際に比較的使用頻度の高い操作ボタンである視力ボタン１８、縦一列/字ひとつボタン２４、横一列/字ひとつボタン２６、レッド・グリーン/固視点ボタン３０、放射線/点群ボタン３２の寸法や形状を違えたり、操作ボタンの表面に操作ボタンにより呈示される視標に基づいた凸部を設けたりしているが、他の操作ボタンについても、操作ボタンにより呈示される視標に基づいた寸法又は形状又は凹凸部により形成してもよい。
【図面の簡単な説明】
【００２８】
【図１】本発明の一実施形態としてのリモコンを示す平面図。
【図２】本発明の一実施形態としての視力ボタンと呈示視標の関係図。
【図３】本発明の一実施形態としての縦一列/字ひとつボタン又は横一列/字ひとつボタンと呈示視標の関係図。
【図４】本発明の一実施形態としてのレッド・グリーン/固視点ボタンと呈示視標の関係図。
【図５】本発明の一実施形態としての放射線/点群ボタンと呈示視標の関係図。
【図６】本発明の一実施形態としてのリモコン及び視標呈示装置の内部構成を概略的に示すブロック図。
【符号の説明】
【００２９】
１２：リモコン、１４：ディスプレイ、１８：視力ボタン、２０：視標呈示装置、２４：縦一列/字ひとつボタン、２６：横一列/字ひとつボタン、３０：レッド・グリーン/固視点ボタン、３２：放射線/点群ボタン、３６：入力部、３８：コード変換器、４０：送信部、４２：制御部、４４：受信部、４６：表示器
【図１】
2009072487.tif 000003
【図２】
2009072487.tif 000004
【図３】
2009072487.tif 000005
【図４】
2009072487.tif 000006
【図５】
2009072487.tif 000007
【図６】
2009072487.tif 000008